(57)【要約】【課題】居住者の個人情報が意図せずして第三者に知られ難いインターホンシステム、インターホン子機、インターホン親機、インターホンシステムの制御方法、及びプログラムを提供する。【解決手段】インターホンシステム１００は、インターホン子機１と、インターホン親機２とを備える。インターホン子機１は、入力部３と、第１通信部（通信部）１６とを備える。入力部３は、来訪者の属性を表す事前情報の入力を受け付ける。第１通信部１６は、入力部３に入力された事前情報をインターホン親機２に向けて送信する。インターホン親機２は、第２制御部（制御部）２１と、出力部４とを備える。第２制御部２１は、インターホン子機１を介した来訪者との通話を制御する。出力部４は、インターホン子機１からの事前情報を出力する。第２制御部２１は、通話を開始する前に出力部４から事前情報を出力させる。【選択図】図１
2017184232.tif 000002
【特許請求の範囲】
【請求項１】
住戸外に設置されるインターホン子機と、
前記住戸内に設置されて前記インターホン子機と接続されるインターホン親機とを備え、
前記インターホン子機は、
来訪者の音声又は前記来訪者の手で入力される情報であって、前記来訪者の属性を表す事前情報の入力を受け付ける入力部と、
前記入力部に入力された前記事前情報を前記インターホン親機に向けて送信する通信部とを備え、
前記インターホン親機は、
前記インターホン子機を介した前記来訪者との通話を制御する制御部と、
前記インターホン子機からの前記事前情報を出力する出力部とを備え、
前記制御部は、前記通話を開始する前に前記出力部から前記事前情報を出力させる
ことを特徴とするインターホンシステム。
【請求項２】
前記制御部は、前記インターホン子機からの前記住戸の居住者の呼出と同時に、前記出力部から前記事前情報を出力させることを特徴とする請求項１記載のインターホンシステム。
【請求項３】
前記インターホン親機は、前記事前情報を再生するための操作入力を受け付ける操作部を備え、
前記制御部は、前記操作部が前記操作入力を受け付けると、前記出力部から前記事前情報を出力させることを特徴とする請求項１記載のインターホンシステム。
【請求項４】
前記インターホン親機は、
前記事前情報の履歴を記憶する記憶部と、
前記記憶部に記憶された前記事前情報を再生するための再生入力を受け付ける再生部とを備え、
前記制御部は、前記再生部が前記再生入力を受け付けると、前記記憶部に記憶された前記事前情報を前記出力部から出力させることを特徴とする請求項１乃至３のいずれか１項に記載のインターホンシステム。
【請求項５】
前記入力部は、前記事前情報の内容に応じた複数の選択釦を備え、
前記通信部は、前記複数の選択釦のうち前記入力部で操作された選択釦に応じた前記事前情報を前記インターホン親機に向けて送信することを特徴とする請求項１乃至４のいずれか１項に記載のインターホンシステム。
【請求項６】
前記インターホン親機は、複数の発光色のうちの少なくとも１つの発光色で発光する発光部を備え、
前記制御部は、前記複数の発光色のうち前記事前情報の内容に応じた発光色で前記発光部を発光させることを特徴とする請求項１乃至５のいずれか１項に記載のインターホンシステム。
【請求項７】
前記制御部は、前記入力部が前記事前情報の入力の受け付けを完了する前に、前記来訪者の来訪を知らせるプレ通知を実行するように構成されていることを特徴とする請求項１乃至６のいずれか１項に記載のインターホンシステム。
【請求項８】
前記制御部は、前記通信部と通信することにより、前記入力部に前記事前情報の入力を受け付けるための処理を実行させることを特徴とする請求項１乃至７のいずれか１項に記載のインターホンシステム。
【請求項９】
請求項１乃至８のいずれか１項に記載のインターホンシステムに用いられるインターホン子機。
【請求項１０】
請求項１乃至８のいずれか１項に記載のインターホンシステムに用いられるインターホン親機。
【請求項１１】
住戸外に設置されるインターホン子機において、来訪者の音声又は前記来訪者の手で入力される情報であって、前記来訪者の属性を表す事前情報の入力を受け付ける第１ステップと、
前記第１ステップで入力された前記事前情報を、前記住戸内に設置されて前記インターホン子機と接続されるインターホン親機に向けて送信する第２ステップと、
前記インターホン親機において、前記インターホン子機を介した前記来訪者との通話を開始する前に、前記インターホン子機からの前記事前情報を出力する第３ステップと、
を有することを特徴とするインターホンシステムの制御方法。
【請求項１２】
請求項１１記載のインターホンシステムの制御方法をコンピュータに実行させるためのプログラム。
【発明の詳細な説明】
【技術分野】
【０００１】
本発明は、一般にインターホンシステム、インターホン子機、インターホン親機、インターホンシステムの制御方法、及びプログラムに関する。より詳細には、本発明は、インターホン子機とインターホン親機との間で通話可能なインターホンシステム、インターホン子機、インターホン親機、インターホンシステムの制御方法、及びプログラムに関する。
【背景技術】
【０００２】
従来、インターホン子機とインターホン親機との間で通話可能なインターホンシステムが知られており、たとえば特許文献１に開示されている。特許文献１に記載のインターホンシステムは、住戸の外玄関や集合住宅の共用玄関などに設置されるインターホン子機と、住戸内に設置されてインターホン子機との間で通話を行うインターホン親機とで構成される。
【０００３】
このインターホンシステムでは、来訪者がインターホン子機にてインターホン親機を呼び出す操作を行うと、インターホン親機から呼出音が鳴動される。そして、応対者（居住者）がインターホン親機の応答釦を操作すると、インターホン親機とインターホン子機との間でインターホン通話が可能となる。
【先行技術文献】
【特許文献】
【０００４】
【特許文献１】特開２０１２−１５９７４号公報
【発明の概要】
【発明が解決しようとする課題】
【０００５】
ところで、上記従来例のようなインターホンシステムでは、居住者が来訪者と通話することにより、来訪者の属性（たとえば、居住者の友人、宅配業者など）を確認する必要があった。このため、インターホン子機の周囲に第三者が存在する場合、居住者が来訪者と通話する声がインターホン子機から漏れ、居住者の個人情報（たとえば、性別など）が意図せずして第三者に知られる可能性があった。
【０００６】
本発明は、上記の点に鑑みてなされており、居住者の個人情報が意図せずして第三者に知られ難いインターホンシステム、インターホン子機、インターホン親機、インターホンシステムの制御方法、及びプログラムを提供することを目的とする。
【課題を解決するための手段】
【０００７】
本発明の一態様に係るインターホンシステムは、インターホン子機と、インターホン親機とを備える。前記インターホン子機は、住戸外に設置される。前記インターホン親機は、前記住戸内に設置されて前記インターホン子機と接続される。前記インターホン子機は、入力部と、通信部とを備える。前記入力部は、来訪者の音声又は前記来訪者の手で入力される情報であって、前記来訪者の属性を表す事前情報の入力を受け付ける。前記通信部は、前記入力部に入力された前記事前情報を前記インターホン親機に向けて送信する。前記インターホン親機は、制御部と、出力部とを備える。前記制御部は、前記インターホン子機を介した前記来訪者との通話を制御する。前記出力部は、前記インターホン子機からの前記事前情報を出力する。前記制御部は、前記通話を開始する前に前記出力部から前記事前情報を出力させる。
【０００８】
本発明の一態様に係るインターホン子機は、上記のインターホンシステムに用いられる。
【０００９】
本発明の一態様に係るインターホン親機は、上記のインターホンシステムに用いられる。
【００１０】
本発明の一態様に係るインターホンシステムの制御方法は、第１ステップと、第２ステップと、第３ステップとを有する。前記第１ステップは、住戸外に設置されるインターホン子機において、来訪者の音声又は前記来訪者の手で入力される情報であって、前記来訪者の属性を表す事前情報の入力を受け付けるステップである。前記第２ステップは、前記第１ステップで入力された前記事前情報を、前記住戸内に設置されて前記インターホン子機と接続されるインターホン親機に向けて送信するステップである。前記第３ステップは、前記インターホン親機において、前記インターホン子機を介した前記来訪者との通話を開始する前に、前記インターホン子機からの前記事前情報を出力するステップである。
【００１１】
本発明の一態様に係るプログラムは、上記インターホンシステムの制御方法をコンピュータに実行させる。
【発明の効果】
【００１２】
本発明は、居住者の個人情報が意図せずして第三者に知られ難い。
【図面の簡単な説明】
【００１３】
【図１】図１は、本発明の一実施形態に係るインターホンシステムを示すブロック図である。
【図２】図２は、同上のインターホンシステムの動作を示すシーケンス図である。
【図３】図３Ａ、図３Ｂは、それぞれ同上のインターホンシステムにおいて、第１画面を表示したインターホン子機の正面図である。
【図４】図４Ａ、図４Ｂは、それぞれ同上のインターホンシステムにおいて、第２画面を表示したインターホン子機の正面図である。
【図５】図５は、同上のインターホンシステムにおけるインターホン親機の第２表示部を示す概略図である。
【図６】図６Ａは、同上のインターホンシステムにおいて、第１画面を表示したインターホン子機の変形例の正面図である。図６Ｂは、同上のインターホンシステムにおいて、第２画面を表示したインターホン子機の変形例の正面図である。
【図７】図７は、本発明の一実施形態に係るインターホンシステムの変形例の動作を示すシーケンス図である。
【発明を実施するための形態】
【００１４】
以下、本発明の実施形態に係るインターホンシステム、インターホン子機、インターホン親機、インターホンシステムの制御方法、及びプログラムについて説明する。ただし、以下に説明する構成は、本発明の一例に過ぎず、本発明は、下記の構成に限定されることはなく、下記の構成以外であっても、本発明に係る技術的思想を逸脱しない範囲であれば、設計等に応じて種々の変更が可能である。
【００１５】
本実施形態のインターホンシステム１００は、図１に示すように、インターホン子機１と、インターホン親機２とを備えている。インターホン子機１は、住戸Ａ１外に設置されている。
【００１６】
インターホン親機２は、住戸Ａ１内に設置されてインターホン子機１と接続されている。インターホン子機１は、入力部３（第１マイクロホン１４１、第１操作部１５）と、第１通信部（通信部）１６とを備えている。入力部３は、事前情報の入力を受け付ける。事前情報は、来訪者Ｂ１（図３Ａ参照）の音声又は来訪者Ｂ１の手で入力される情報であって、来訪者Ｂ１の属性を表す。第１通信部１６は、入力部３に入力された事前情報をインターホン親機２に向けて送信する。
【００１７】
インターホン親機２は、第２制御部（制御部）２１と、出力部４（第２表示部２３、第２スピーカ２４２）とを備えている。第２制御部２１は、インターホン子機１を介した来訪者Ｂ１との通話を制御する。出力部４は、インターホン子機１からの事前情報を出力する。第２制御部２１は、通話を開始する前に出力部４から事前情報を出力させる。
【００１８】
また、本実施形態のインターホン子機１は、本実施形態のインターホンシステム１００に用いられている。
【００１９】
また、本実施形態のインターホン親機２は、本実施形態のインターホンシステム１００に用いられている。
【００２０】
以下、本実施形態のインターホンシステム１００について詳細に説明する。本実施形態のインターホンシステム１００は、集合住宅に用いられる。本実施形態のインターホンシステム１００は、図１に示すように、インターホン子機１と、複数（図示では２つ）のインターホン親機２と、通信制御装置５とを備えている。なお、以下では、インターホン子機１を「子機１」、インターホン親機２を「親機２」と略称することがある。また、複数の親機２の構成及び機能は同等であるので、以下では、複数の親機２のうちの１つの親機２について構成及び機能を説明する。
【００２１】
子機１は、ロビーインターホンであって、集合住宅の共用玄関（ロビー）に設置されている。複数の親機２は、それぞれ複数（図示では２つ）の住戸Ａ１内に設置されている。通信制御装置５は、集合住宅の管理室に設置されている。
【００２２】
子機１は、第１伝送路６１を介して通信制御装置５に接続されている。複数の親機２は、第２伝送路６２を介して通信制御装置５に接続されている。第２伝送路６２は、幹線６２１と、複数（図示では２本）の分岐線６２２とで構成されている。幹線６２１は、通信制御装置５に接続されている。複数の分岐線６２２は、それぞれ複数の親機２に接続されている。また、複数の分岐線６２２は、それぞれ幹線６２１から分岐している。複数の分岐線６２２の分岐点には、それぞれ複数（図示では２つ）の分岐器７が設けられている。第１伝送路６１及び第２伝送路６２は、いずれもツイストペア線である。つまり、実際には第１伝送路６１及び第２伝送路６２は二線式であるが、図面上では１本の線として表す。
【００２３】
子機１は、図１に示すように、第１制御部１１と、第１映像処理部１２と、第１表示部１３と、第１通話処理部１４と、第１操作部１５と、第１通信部１６とを備えている。
【００２４】
第１制御部１１は、ＣＰＵ（Central Processing Unit）及びメモリ等のハードウェアと、ＣＰＵで実行されるソフトウェア（プログラム）とで構成されている。第１制御部１１は、第１映像処理部１２、第１通話処理部１４、及び第１通信部１６を制御するように構成されている。具体的には、第１制御部１１は、第１通話処理部１４を制御することにより、インターホン親機２を介した住戸Ａ１の居住者との通話を制御する。また、第１制御部１１は、来訪者Ｂ１による第１操作部１５での操作に応じて、種々の制御（たとえば、呼出など）を実行するように構成されている。
【００２５】
第１映像処理部１２は、撮像装置１２１に接続されている。撮像装置１２１は、来訪者Ｂ１を撮像するように構成されている。撮像装置１２１は、固体撮像素子と、レンズとを備えている。固体撮像素子は、たとえばＣＭＯＳ（Complementary Metal Oxide Semiconductor）イメージセンサである。第１映像処理部１２は、撮像装置１２１の出力信号からディジタルの映像信号を生成し、生成した映像信号を第１通信部１６へ出力するように構成されている。また、第１映像処理部１２は、第１表示部１３を駆動して第１表示部１３に映像を表示させるように構成されている。
【００２６】
第１表示部１３は、たとえば液晶ディスプレイや有機ＥＬ（Electro Luminescence）ディスプレイなどの表示デバイスを備えている。第１表示部１３は、たとえば図３Ａに示すように、子機１の正面に画面が表示されるように設けられている。第１表示部１３は、たとえば撮像装置１２１で撮像された来訪者Ｂ１の映像の他、来訪者Ｂ１の入力した訪問先の部屋番号や、来訪者Ｂ１に対するメッセージを表示する。
【００２７】
第１通話処理部１４は、第１マイクロホン１４１と、第１スピーカ１４２とに接続されている。第１マイクロホン１４１は、来訪者Ｂ１の音声を集音し、集音した音声をアナログの音声信号（電気信号）に変換する。また、第１マイクロホン１４１は、変換したアナログの音声信号を第１通話処理部１４に出力する。第１スピーカ１４２は、第１通話処理部１４からアナログの音声信号を入力されることにより、音声を出力する。
【００２８】
第１通話処理部１４は、Ａ／Ｄ変換機能と、Ｄ／Ａ変換機能とを有している。第１通話処理部１４は、Ａ／Ｄ変換機能により、第１マイクロホン１４１からのアナログの音声信号をディジタルの音声信号に変換する。そして、第１通話処理部１４は、変換したディジタルの音声信号を第１通信部１６に出力する。また、第１通話処理部１４は、Ｄ／Ａ変換機能により、第１通信部１６からのディジタルの音声信号をアナログの音声信号に変換する。そして、第１通話処理部１４は、変換したアナログの音声信号を第１スピーカ１４２に出力する。
【００２９】
第１操作部１５は、来訪者Ｂ１の操作を受け付けるように構成されている。本実施形態では、第１操作部１５はポインティングデバイスであり、第１表示部１３と共にタッチパネルを構成している。第１操作部１５は、たとえば来訪者Ｂ１が訪問先の住戸Ａ１の部屋番号を入力するための操作領域や、後述する事前情報を入力するための操作領域を備えている。
【００３０】
また、第１操作部１５は、来訪者Ｂ１の操作に応じて、住戸Ａ１の居住者を呼び出すための呼出信号を第１制御部１１へ出力する。本実施形態では、第１操作部１５は、住戸Ａ１の部屋番号の入力と、事前情報の入力とが完了すると、呼出信号を第１制御部１１へ出力する。もちろん、第１操作部１５は、居住者を呼び出すための操作領域を備えていてもよい。第１操作部１５からの呼出信号は、第１制御部１１により、第１通信部１６へ出力される。
【００３１】
第１操作部１５は、たとえばテンキースイッチや押釦スイッチ等のタッチパネルとは異なるハードウェアで構成されていてもよい。また、第１操作部１５は、このようなハードウェアとタッチパネルとを組み合わせて構成されていてもよい。
【００３２】
第１通信部１６は、音声信号、映像信号、呼出信号の少なくともいずれかの信号を含む通信信号を生成するように構成されている。第１通信部１６は、第１伝送路６１を介して、生成した通信信号を通信制御装置５へ送信する。通信信号は、来訪者Ｂ１が指定した住戸Ａ１の親機２に割り当てられたアドレスを含む。また、第１通信部１６は、通信制御装置５から送信された通信信号を受信する。第１通信部１６は、受信した通信信号を復調することで、ディジタルの音声信号を復元する。そして、第１通信部１６は、復元したディジタルの音声信号を第１通話処理部１４に出力する。
【００３３】
子機１は、入力部３をさらに備えている。本実施形態では、入力部３は、第１操作部１５と、第１マイクロホン１４１とで構成されている。入力部３は、事前情報の入力を受け付ける。事前情報は、来訪者Ｂ１の音声又は来訪者Ｂ１の手で入力される情報であって、来訪者Ｂ１の属性を表す。ここで、来訪者Ｂ１の属性とは、たとえば来訪者Ｂ１の名前や、来訪者Ｂ１の居住者との関係（友人、家族、親戚、約束済みの業者など）、来訪者Ｂ１の居住者に対する用件（宅配、機器の設置工事など）といった情報を含む。また、事前情報は、たとえば来訪者Ｂ１が第１操作部１５を操作することで入力される文字列や選択肢などのテキストデータである。その他、事前情報は、たとえば来訪者Ｂ１が第１マイクロホン１４１に向かって話すことで入力される音声データである。
【００３４】
入力部３で入力された事前情報は、第１通信部１６により、来訪者Ｂ１の指定した住戸Ａ１の親機２に向けて送信される。本実施形態では、事前情報は、呼出信号に含まれる。つまり、本実施形態では、事前情報は、子機１からの住戸Ａ１の居住者の呼出と同時に、親機２に向けて送信される。もちろん、事前情報は、呼出信号とは別の信号として、第１通信部１６から送信されてもよい。
【００３５】
親機２は、図１に示すように、第２制御部２１と、第２映像処理部２２と、第２表示部２３と、第２通話処理部２４と、第２操作部２５と、第２通信部２６と、発光部２７とを備えている。
【００３６】
第２制御部２１は、ＣＰＵ及びメモリ等のハードウェアと、ＣＰＵで実行されるソフトウェア（プログラム）とで構成されている。第２制御部２１は、第２映像処理部２２、第２通話処理部２４、及び第２通信部２６を制御するように構成されている。具体的には、第２制御部２１は、インターホン子機１を介した来訪者Ｂ１との通話を制御する。また、第２制御部２１は、居住者による第２操作部２５での操作に応じて、種々の制御（たとえば、呼出に対する応答など）を実行するように構成されている。
【００３７】
また、第２制御部２１は、記憶部２１１に接続されている。記憶部２１１は、たとえばフラッシュメモリ等の読み書き可能なメモリで構成されている。記憶部２１１は、子機１からの事前情報の履歴を、たとえば来訪者Ｂ１の映像や訪問時刻と紐付けて格納する。なお、記憶部２１１は、第２制御部２１の内蔵メモリであってもよい。
【００３８】
第２映像処理部２２は、子機１からの映像信号に基づいて第２表示部２３を駆動することで、来訪者Ｂ１の映像を含む画面を第２表示部２３に表示させるように構成されている。第２表示部２３は、たとえば液晶ディスプレイや有機ＥＬディスプレイなどの表示デバイスを備えている。第２表示部２３は、親機２の正面に画面が表示されるように設けられている。第２表示部２３は、たとえば子機１からの来訪者Ｂ１の映像や事前情報の他、現在の時刻等の居住者に向けた情報を表示する。
【００３９】
第２通話処理部２４は、第２マイクロホン２４１と、第２スピーカ２４２とに接続されている。第２マイクロホン２４１は、居住者の音声を集音し、集音した音声をアナログの音声信号（電気信号）に変換する。また、第２マイクロホン２４１は、変換したアナログの音声信号を第２通話処理部２４に出力する。第２スピーカ２４２は、第２通話処理部２４からアナログの音声信号を入力されることにより、音声を出力する。
【００４０】
第２通話処理部２４は、Ａ／Ｄ変換機能と、Ｄ／Ａ変換機能とを有している。第２通話処理部２４は、Ａ／Ｄ変換機能により、第２マイクロホン２４１からのアナログの音声信号をディジタルの音声信号に変換する。そして、第２通話処理部２４は、変換したディジタルの音声信号を第２通信部２６に出力する。また、第２通話処理部２４は、Ｄ／Ａ変換機能により、第２通信部２６からのディジタルの音声信号をアナログの音声信号に変換する。そして、第２通話処理部２４は、変換したアナログの音声信号を第２スピーカ２４２に出力する。
【００４１】
第２操作部２５は、居住者の操作を受け付けるように構成されている。本実施形態では、第２操作部２５はポインティングデバイスであり、第２表示部２３と共にタッチパネルを構成している。第２操作部２５は、たとえば子機１からの呼出に応答するための操作領域や、共用玄関のエントランスドアの電気錠を解錠するための操作領域を備えている。
【００４２】
第２操作部２５は、たとえば押釦スイッチ等のタッチパネルとは異なるハードウェアで構成されていてもよい。また、第２操作部２５は、このようなハードウェアとタッチパネルとを組み合わせて構成されていてもよい。
【００４３】
第２操作部２５は、再生部２５１をさらに備えている。再生部２５１は、記憶部２１１に記憶された事前情報を再生するための入力を受け付けるように構成されている。そして、第２制御部２１は、再生部２５１が入力を受け付けると、記憶部２１１に記憶された事前情報を読み出す。そして、読み出した事前情報は、後述する出力部４により出力される。
【００４４】
第２通信部２６は、音声信号を含む通信信号を生成するように構成されている。第２通信部２６は、第２伝送路６２を介して、生成した通信信号を通信制御装置５へ送信する。また、第２通信部２６は、通信制御装置５から送信された通信信号を受信する。第２通信部２６は、受信した通信信号を復調することで、ディジタルの音声信号を復元する。そして、第２通信部２６は、復元したディジタルの音声信号を第２通話処理部２４に出力する。
【００４５】
発光部２７は、たとえば発光ダイオード等の複数の固体発光素子と、複数の固体発光素子を点灯させるための点灯回路とを備えている。複数の固体発光素子は、それぞれ互いに異なる発光色（たとえば、赤色、青色、緑色）を発光する。つまり、発光部２７は、複数の発光色のうちの少なくとも１つの発光色で発光する。また、発光部２７は、第２制御部２１に点灯回路を制御されることにより発光する。発光部２７は、居住者が確認し易いように、たとえば親機２の正面に設けられるのが好ましい。
【００４６】
親機２は、出力部４をさらに備えている。本実施形態では、出力部４は、第２表示部２３と、第２スピーカ２４２とで構成されている。出力部４は、子機１からの事前情報を出力する。たとえば事前情報がテキストデータを含んでいれば、出力部４としての第２表示部２３は、事前情報を表す文字列等を表示する。また、事前情報が音声データを含んでいれば、出力部４としての第２スピーカ２４２は、事前情報を表す音声を出力する。出力部４が事前情報を出力するタイミングは、第２制御部２１により制御される。
【００４７】
通信制御装置５は、図１に示すように、制御部５１と、伝送処理部５２とを備えている。制御部５１は、ＣＰＵ及びメモリ等のハードウェアと、ＣＰＵで実行されるソフトウェア（プログラム）とで構成されている。制御部５１は、伝送処理部５２を制御するように構成されている。また、制御部５１の内蔵するメモリには、データテーブルが記憶されている。データテーブルは、各住戸Ａ１の親機２に割り当てられたアドレスと、住戸Ａ１の部屋番号とを紐付けたテーブルである。
【００４８】
伝送処理部５２は、第１伝送路６１を介して、子機１の第１通信部１６に接続されている。また、伝送処理部５２は、第２伝送路６２を介して、複数の親機２の第２通信部２６に接続されている。伝送処理部５２は、第１通信部１６から送信される通信信号を受信する。そして、伝送処理部５２は、受信した通信信号に含まれるアドレスに対応する住戸Ａ１の親機２に向けて、当該通信信号を送信する。また、伝送処理部５２は、第２通信部２６から送信される通信信号を受信し、受信した通信信号を子機１に向けて送信する。つまり、通信制御装置５は、来訪者Ｂ１に呼び出された住戸Ａ１の親機２と子機１とを接続し、両者間での通信（通話）を中継する。
【００４９】
以下、本実施形態のインターホンシステム１００の動作について、図２〜図５を用いて説明する。なお、以下では、とくに断りの無い限り、動作の主体を子機１（又は親機２）として説明するが、実際には、子機１の第１制御部１１（又は親機２の第２制御部２１）が主体である。たとえば、「子機１は、来訪者Ｂ１を撮像する」とは、「子機１の第１制御部１１は、第１映像処理部１２を介して撮像装置１２１を制御することにより、来訪者Ｂ１を撮像する」という意味である。
【００５０】
図２に示すように、まず、子機１は、たとえば内蔵された人感センサにより来訪者Ｂ１を検知すると、来訪者Ｂ１を撮像する（ステップＳ１０１）。なお、子機１は、たとえば第１操作部１５が入力を受け付けると、来訪者Ｂ１を撮像する構成であってもよい。
【００５１】
次に、子機１は、訪問先の部屋番号を入力するための第１画面を第１表示部１３に表示させる（ステップＳ１０２）。そして、子機１は、第１画面において、来訪者Ｂ１による部屋番号の入力を受け付ける（ステップＳ１０３）。
【００５２】
図３Ａに示すように、第１表示部１３の第１画面には、第１表示領域１３１と、第２表示領域１３２と、第３表示領域１３３とが表示される。第１表示領域１３１は、第１表示部１３の上部に位置する円形状の領域である。第１表示領域１３１には、撮像した来訪者Ｂ１の映像（静止画像）が表示される。第２表示領域１３２は、第１表示領域１３１の下側に位置する領域である。第２表示領域１３２には、「訪問先の部屋番号を入力してください」等の来訪者Ｂ１に部屋番号の入力を促すメッセージと、来訪者Ｂ１の入力した部屋番号とが表示される。また、第２表示領域１３２には、複数の円形状のマークが時間経過に伴って液体のように動くアニメーションが表示される。なお、第２表示領域１３２にアニメーションを表示するか否かは任意である。
【００５３】
第３表示領域１３３は、第２表示領域１３２の下側に位置する領域である。第３表示領域１３３には、いわゆる電話型のテンキー１５１が表示される。本実施形態では、第１操作部１５は、第１表示部１３と共にタッチパネルを構成している。つまり、第３表示領域１３３は、第１操作部１５でもある。したがって、来訪者Ｂ１がテンキー１５１を押すことにより、第１操作部１５が部屋番号の入力を受け付けることになる。
【００５４】
そして、来訪者Ｂ１は、テンキー１５１を押すことにより、訪問先の住戸Ａ１の部屋番号を入力する。このとき、図３Ｂに示すように、入力した部屋番号が第２表示領域１３２に表示される。
【００５５】
次に、図２に示すように、子機１は、事前情報を入力するための第２画面を第１表示部１３に表示させる（ステップＳ１０４）。そして、子機１は、第２画面において、来訪者Ｂ１による事前情報の入力を受け付ける（ステップＳ１０５）。
【００５６】
図４Ａに示すように、第１表示部１３の第２画面には、第１表示領域１３１と、第２表示領域１３２と、第３表示領域１３３と、第４表示領域１３４とが表示される。第１表示領域１３１には、第１画面と同様に、撮像した来訪者Ｂ１の映像が表示される。第２表示領域１３２には、「ご用件を選択してください」等の来訪者Ｂ１に事前情報の入力を促すメッセージと、来訪者Ｂ１の入力した事前情報（ここでは、居住者との関係や用件）とが表示される。本実施形態では、来訪者Ｂ１は、第１マイクロホン１４１を用いて、音声により事前情報を入力することも可能である。したがって、第２表示領域１３２には、「マイクボタンを押してお話しください」というメッセージも表示される。第４表示領域１３４は、第１表示領域１３１の左側に位置する領域である。第４表示領域１３４には、入力した部屋番号が表示される。
【００５７】
ここで、子機１は、来訪者Ｂ１に事前情報の入力を促す音声データを第１スピーカ１４２から出力させることで、音声により来訪者Ｂ１に事前情報の入力を促してもよい。つまり、子機１は、上述の事前情報の入力を促すメッセージの表示と、事前情報の入力を促す音声の出力との少なくとも一方を実行すればよい。また、子機１は、来訪者Ｂ１により部屋番号が入力される前に（つまり、ステップＳ１０２（図２参照）を実行する前に）、来訪者Ｂ１に事前情報の入力を促してもよい。
【００５８】
第３表示領域１３３には、テンキー１５１の代わりに、複数（ここでは、５つ）の選択釦１５２と、音声入力用のマイク釦１５３とが表示される。複数の選択釦１５２及びマイク釦１５３は、いずれも円形である。複数の選択釦１５２には、それぞれ「友人」、「宅配」、「その他」等の来訪者Ｂ１の属性を表す文字が表示されている。したがって、来訪者Ｂ１が複数の選択釦１５２のいずれか１つを押すことにより、第１操作部１５（つまり、入力部３）が来訪者Ｂ１の属性（つまり、事前情報）の入力を受け付ける。
【００５９】
ここで、第１操作部１５は、来訪者Ｂ１の属性として、たとえば来訪者Ｂ１の名前の入力を受け付けるように構成されていてもよい。この場合、第１表示部１３は、第３表示領域１３３にソフトウェアキーボードを表示すればよい。
【００６０】
また、来訪者Ｂ１がマイク釦１５３を押しながら第１マイクロホン１４１に向けて話すことにより、第１マイクロホン１４１（つまり、入力部３）が事前情報の入力を受け付ける。たとえば、来訪者Ｂ１が宅配業者であれば、来訪者Ｂ１は、「○○宅配便です。お荷物を届けに参りました」といった音声を入力する。なお、図４Ａでは、第１マイクロホン１４１の図示を省略している。
【００６１】
ここでは、来訪者Ｂ１は、複数の選択釦１５２のうち「宅配」と表示された選択釦１５２を押すことにより、事前情報を入力する。このとき、図４Ｂに示すように、入力した来訪者Ｂ１の属性（つまり、事前情報）が第２表示領域１３２に表示される。
【００６２】
来訪者Ｂ１による事前情報の入力が完了すると、子機１は、来訪者Ｂ１が指定した住戸Ａ１の居住者に対する呼出を実行する。つまり、図２に示すように、子機１は、事前情報を含む呼出信号を親機２に向けて送信する（ステップＳ１０６）。このとき、子機１は、呼出信号と共に、来訪者Ｂ１の映像信号も親機２に向けて送信する。また、子機１は、たとえば居住者を呼出中である旨を表すアニメーションを第１表示部１３に表示させてもよい。
【００６３】
もちろん、子機１は、事前情報の入力後に来訪者Ｂ１が呼出釦を操作することで、居住者の呼出が行われるように構成されていてもよい。この場合、第３表示領域１３３には、複数の選択釦１５２及びマイク釦１５３の他に、呼出釦が表示される。なお、第１表示部１３は、事前情報の入力が完了するまでは呼出釦を表示せず、事前情報の入力が完了すると呼出釦を表示するように構成されていてもよい。この構成では、来訪者Ｂ１が事前情報を入力するまでは居住者の呼出を行えないので、より確実に来訪者Ｂ１に事前情報の入力を促すことができる。
【００６４】
図２に示すように、親機２は、呼出音を鳴動すると共に、発光部２７を発光させることで、呼出中である旨を居住者に向けて報知する（ステップＳ１０７）。発光部２７は、子機１から送信される事前情報の内容に応じた発光色で発光する。たとえば事前情報の表す来訪者Ｂ１の属性が「友人」であれば、発光部２７は青色に発光する。また、たとえば事前情報の表す来訪者Ｂ１の属性が「宅配」であれば、発光部２７は緑色に発光する。
【００６５】
また、親機２は、子機１から送信された事前情報を出力する（ステップＳ１０８）。つまり、親機２の第２制御部（制御部）２１は、子機１を介した来訪者Ｂ１との通話を開始する前に、出力部４から事前情報を出力させる。事前情報がテキストデータであれば、親機２は、テキストデータを第２表示部２３（出力部４）に表示させる。また、事前情報が音声データであれば、親機２は、音声データを第２スピーカ２４２（出力部４）から出力させる。このとき、親機２は、子機１から送信された来訪者Ｂ１の映像も第２表示部２３に表示させる。
【００６６】
ここで、親機２は、事前情報が音声データであれば、後述するように居住者による第２操作部２５での入力を受け付けるまで、音声データの出力と呼出音の鳴動とを交互に繰り返してもよい。また、親機２は、事前情報が音声データ及びテキストデータの両方を含む場合、第２スピーカ２４２からの音声データの出力と、第２表示部２３でのテキストデータの表示との両方を実行してもよい。
【００６７】
その他、親機２は、事前情報が音声データである場合、音声データを第２スピーカ２４２から出力させ、かつ、音声データをテキストデータに変換し、変換したテキストデータを第２表示部２３に表示させてもよい。また、親機２は、事前情報がテキストデータである場合、テキストデータを第２表示部２３に表示させ、かつ、テキストデータを音声データに変換し、変換した音声データを第２スピーカ２４２から出力させてもよい。
【００６８】
図５に示す例では、親機２の第２表示部２３には、第１表示領域２３１と、第２表示領域２３２とが表示されている。第１表示領域２３１には、撮像装置１２１で撮像された来訪者Ｂ１の映像が表示される。第２表示領域２３２は、第１表示領域２３１の下部に位置する領域である。第２表示領域２３２には、事前情報として「宅配」の文字列が表示される。その他、親機２は、たとえば第１表示領域２３１の隅の表示領域（いわゆる子画面）に事前情報のテキストデータを表示させてもよい。この場合、第１表示領域２３１においては、子画面に事前情報のテキストデータが、子画面以外の表示領域に来訪者Ｂ１の映像が表示される。なお、この場合は、第２表示領域２３２は不要である。
【００６９】
このとき、図２に示すように、親機２は、居住者による第２操作部２５での入力を受け付ける（ステップＳ１０９）。居住者は、呼出中に事前情報を確認することで、来訪者Ｂ１の属性を把握した上で、次の行動を選択する。
【００７０】
ここでは、来訪者Ｂ１が宅配業者であるため、居住者は、第２表示部２３に表示される来訪者Ｂ１の映像と、来訪者Ｂ１の属性である「宅配」とを確認することで、来訪者Ｂ１が既知の宅配業者であるか否かを確認する。そして、居住者は、来訪者Ｂ１が既知の宅配業者であると判断すれば、来訪者Ｂ１と通話することなく、共用玄関のエントランスドアの電気錠を解錠する操作を行う。そして、図２に示すように、第２制御部（制御部）２１は、共用玄関のエントランスドアの電気錠を解錠させる（ステップＳ１１０）。また、居住者は、来訪者Ｂ１が既知の宅配業者であるか否か判断できない場合、呼出に応答する操作を行い、通話により来訪者Ｂ１の属性を確認してもよい。
【００７１】
ここで、従来のインターホンシステムでは、子機１からの居住者の呼出があると、まず居住者が声を発して来訪者Ｂ１と通話することで、来訪者Ｂ１の属性を確認する必要があった。このため、居住者の声により、居住者の個人情報（たとえば、性別や年齢層）が来訪者Ｂ１や周囲にいる第三者に意図せずして漏れてしまう虞があった。また、従来のインターホンシステムには、子機１からの居住者の呼出があると、来訪者Ｂ１の映像を親機２に表示させる構成があった。この構成では、居住者が来訪者Ｂ１の映像を見ただけでは来訪者Ｂ１の属性を把握できず、警戒して居留守を使う可能性があった。
【００７２】
これに対して、本実施形態のインターホンシステム１００では、インターホン子機１は、事前情報を入力する入力部３（第１操作部１５、第１マイクロホン１４１）を備えている。そして、インターホン親機２の第２制御部（制御部）２１は、来訪者Ｂ１との通話を開始する前に、入力部３で入力された事前情報を、出力部４（第２表示部２３、第２スピーカ２４２）から出力するように構成されている。このため、本実施形態のインターホンシステム１００では、居住者は、来訪者Ｂ１と通話することなく、来訪者Ｂ１の属性を把握することができる。
【００７３】
つまり、本実施形態のインターホンシステム１００では、居住者から来訪者Ｂ１に情報を与える前に、来訪者Ｂ１から居住者に情報を与えるようになっている。したがって、本実施形態のインターホンシステム１００では、居住者は、来訪者Ｂ１や第三者に向けて声を発することなく、共用玄関のエントランスドアの電気錠を解錠することができる。つまり、本実施形態のインターホンシステム１００は、居住者の個人情報が意図せずして第三者に知られ難い。また、本実施形態のインターホンシステム１００では、居住者は、来訪者Ｂ１の映像のみで判断する場合と比較して、来訪者Ｂ１の属性（とくに用件）を把握し易く、警戒して居留守を使う可能性を低減することができる。
【００７４】
さらに、本実施形態のインターホンシステム１００では、来訪者Ｂ１は、子機１の入力部３に事前情報を入力する必要がある。このため、本実施形態のインターホンシステム１００では、入力部３を備えることで、居住者の声を聞いて居住者の属性（たとえば、性別や年齢層）を確認するためだけに呼出を行う不審者への牽制にもなる。
【００７５】
また、本実施形態のインターホンシステム１００では、第２制御部（制御部）２１は、インターホン子機１からの住戸Ａ１の居住者の呼出と同時に、出力部４から事前情報を出力させている。このため、居住者は、事前情報を確認することで、来訪者Ｂ１の属性を直ぐに把握することができる。もちろん、出力部４から事前情報を出力するタイミングは、呼出の前であってもよいし、呼出の後であってもよい。
【００７６】
また、本実施形態のインターホンシステム１００では、インターホン親機２は、事前情報を再生するための操作入力を受け付ける操作部を備えていてもよい。操作部は、たとえば第２操作部２５の一部で構成される。そして、第２制御部（制御部）２１は、操作部が操作入力を受け付けると、出力部４から事前情報を出力させるように構成されていてもよい。この構成では、居住者が操作部を操作して初めて事前情報が再生されるので、呼出中に事前情報が再生され続けることによる居住者の不快感が低減される。
【００７７】
また、本実施形態のインターホンシステム１００では、インターホン親機２は、記憶部２１１と、再生部２５１とを備えている。記憶部２１１は、事前情報の履歴を記憶する。再生部２５１は、記憶部２１１に記憶された事前情報を再生するための再生入力を受け付ける。そして、第２制御部（制御部）２１は、再生部２５１が再生入力を受け付けると、記憶部２１１に記憶された事前情報を出力部４から出力させるように構成されている。この構成では、居住者は、たとえば留守にしている間にどのような来訪者Ｂ１が訪ねてきたかを把握することができる。なお、インターホン親機２が記憶部２１１及び再生部２５１を備えるか否かは任意である。
【００７８】
また、本実施形態のインターホンシステム１００では、入力部３は、事前情報の内容に応じた複数の選択釦１５２を備えている。そして、第１通信部（通信部）１６は、複数の選択釦１５２のうち入力部３で操作された選択釦１５２に応じた事前情報をインターホン親機２に向けて送信するように構成されている。この構成では、来訪者Ｂ１は、簡単な操作で事前情報を入力することが可能である。なお、入力部３が選択釦１５２を備えるか否かは任意である。たとえば、入力部３は、音声のみで事前情報を入力する構成であってもよい。
【００７９】
また、本実施形態のインターホンシステム１００では、インターホン親機２は、複数の発光色のうちの少なくとも１つの発光色で発光する発光部２７を備えている。そして、第２制御部（制御部）２１は、複数の発光色のうち事前情報の内容に応じた発光色で発光部２７を発光させるように構成されている。この構成では、居住者は、発光部２７の発光色を見ることで、インターホン親機２から離れた位置でも来訪者Ｂ１の属性を確認することができる。なお、インターホン親機２が発光部２７を備えるか否かは任意である。
【００８０】
ところで、本実施形態のインターホンシステム１００において、インターホン子機１が撮像装置１２１を備えているか否かは任意である。たとえば、インターホン子機１が撮像装置１２１を備えていない場合、入力部３は、音声で事前情報を入力する構成であるのが好ましい。つまり、この構成では、居住者は、来訪者Ｂ１の声を聞くことにより、聞き覚えのある声かどうかを判断することが可能である。このため、居住者は、来訪者Ｂ１の映像がなくとも、来訪者Ｂ１の属性を把握することが可能である。
【００８１】
また、本実施形態のインターホンシステム１００において、第２制御部（制御部）２１は、事前情報がテキストデータである場合に、テキストデータを機械音声のデータに変換し、変換した音声データを第２スピーカ２４２（出力部４）から出力させてもよい。また、第２制御部（制御部）２１は、事前情報が音声データである場合に、音声データを音声認識によりテキストデータに変換し、変換したテキストデータを第２表示部２３（出力部４）に表示させてもよい。
【００８２】
また、本実施形態のインターホンシステム１００において、第２表示部２３（出力部４）は、複数の発光色のうち事前情報の内容に応じた発光色で発光するように構成されていてもよい。たとえば、第２制御部（制御部）２１は、子機１を介した来訪者Ｂ１との通話を開始する前に、第２表示部２３を発光させることにより、第２表示部２３から事前情報を出力させる。発光部２７と同様に、たとえば事前情報の表す来訪者Ｂ１の属性が「友人」であれば、第２表示部２３は青色に発光する。また、たとえば事前情報の表す来訪者Ｂ１の属性が「宅配」であれば、第２表示部２３は緑色に発光する。
【００８３】
第２表示部２３は、たとえば液晶ディスプレイや有機ＥＬディスプレイ等の表示デバイスを発光させてもよいし、発光ダイオード等の固体発光素子を発光させてもよい。なお、第２表示部２３（出力部４）が発光することで事前情報を出力する構成であっても、親機２は、発光部２７を備えていてもよい。
【００８４】
また、本実施形態のインターホンシステム１００では、ロビーインターホンがインターホン子機１であるが、他の構成であってもよい。たとえば、共用玄関にロビーインターホンを備えない場合、各住戸Ａ１の外玄関に設置されているドアホン子器がインターホン子機１であってもよい。また、本実施形態のインターホンシステム１００は、たとえば戸建住宅にも採用することが可能である。この場合、インターホン子機１が玄関又は玄関先に設置され、インターホン親機２が住宅内に設置される。つまり、本実施形態のインターホンシステム１００では、インターホン子機１が住戸（又は住宅）外に設置され、インターホン親機２が住戸（又は住宅）内に設置されていればよい。
【００８５】
（インターホン子機の変形例）
以下、実施形態の変形例のインターホン子機１Ａについて説明する。ただし、変形例のインターホン子機１Ａは、第１表示部１３及び第１操作部１５の構成を除いて実施形態のインターホン子機１と共通している。したがって、以下では、実施形態のインターホン子機１と共通する構成については説明を省略する。また、以下では、インターホン子機１Ａを「子機１Ａ」と略称する。
【００８６】
本変形例の子機１Ａは、図６Ａ、図６Ｂに示すように、タッチパネルで構成されている第１操作部１５の代わりに、第１操作部１５Ａを備えている。第１操作部１５Ａは、いわゆる電話型のテンキースイッチ１５４と、呼出用の押釦スイッチ１５５とで構成されている。したがって、来訪者Ｂ１は、テンキースイッチ１５４を押すことで、訪問先の住戸Ａ１の部屋番号を入力することができる（図６Ａ参照）。
【００８７】
また、本変形例の子機１Ａでは、第１表示部１３は、図６Ｂに示すように、第２画面として、第３表示領域１３３の代わりに第５表示領域１３５を表示する。第５表示領域１３５には、来訪者Ｂ１の属性（ここでは、居住者との関係や用件）を選択するための選択肢が表示される。図６Ｂに示す例では、第５表示領域１３５には、「１．友人」、「２．家族」等のように、来訪者Ｂ１の属性と数字とが紐付けられた選択肢が表示される。したがって、来訪者Ｂ１は、自身の属性に対応した数字のテンキースイッチ１５４を押すことで、事前情報を入力することができる。
【００８８】
そして、本変形例の子機１Ａでは、来訪者Ｂ１は、第２画面が表示されているときに押釦スイッチ１５５を操作することで、指定した住戸Ａ１の居住者を呼び出すことができる。ここで、第１表示部１３の第２表示領域１３２には、図６Ｂに示すように、たとえば「ご用件を選択してから、呼出ボタンを押してください」といったメッセージを表示させるのが好ましい。この場合、来訪者Ｂ１は、事前情報を入力してからでなければ呼出を行うことができないことを理解し易い。
【００８９】
（その他の変形例）
本実施形態において、親機２は、上述の事前情報の入力を受け付ける機能の有無を入／切する切替機能を有していてもよい。この構成によれば、住戸Ａ１の居住者は、親機２を操作することにより、不要な場合に事前情報の入力を受け付ける機能を無効にすることが可能である。また、切替機能は、インターホンシステム１００のいずれかの構成要素にあればよく、たとえば、管理室に備え付けの管理室親機が有していてもよい。この構成によれば、管理人は、管理室親機を操作することにより、全ての住戸Ａ１について事前情報の入力を受け付ける機能を無効にすることが可能である。
【００９０】
本実施形態において、事前情報は、来訪者Ｂ１の属性として付随情報を更に含んでいてもよい。付随情報とは、たとえば来訪者Ｂ１に関するより詳細な情報である。たとえば、来訪者Ｂ１が宅配業者の場合、付随情報は、宅配業者が居住者に届ける荷物の重量、サイズ、送り主、及び商品名などである。この場合、入力部３は、付随情報を含めて事前情報の入力を受け付けるように構成されていればよい。また、第１通信部（通信部）１６は、付随情報を含めて事前情報を親機２に向けて送信するように構成されていればよい。
【００９１】
本実施形態において、親機２は、ステップＳ１０３（図２参照）で部屋番号が入力されると、又はステップＳ１０５（図２参照）で事前情報の入力を受け付け始めると、プレ通知を実行してもよい。プレ通知とは、来訪者Ｂ１の来訪を居住者に知らせるための通知である。つまり、第２制御部（制御部）２１は、入力部３が事前情報の入力の受け付けを完了する前に、来訪者Ｂ１の来訪を知らせるプレ通知を実行するように構成されていてもよい。
【００９２】
プレ通知は、たとえば親機２の第２制御部２１が、事前情報を知らせるときとは異なる発光色で発光部２７を発光させることで実行されてもよい。また、プレ通知は、たとえば親機２の第２制御部２１が、呼出音よりも音量の小さく、かつ、呼出音とは異なる音色の音を第２スピーカ２４２から鳴動させることで実行されてもよい。もちろん、親機２の第２制御部２１は、発光部２７の発光による通知と、第２スピーカ２４２からの音による通知との両方をプレ通知として実行してもよい。
【００９３】
上述の構成によれば、たとえば集合住宅の住戸Ａ１の居住者は、不意の呼出音の鳴動に驚き難くなる。すなわち、集合住宅の住戸Ａ１の居住者は、戸建住宅の居住者とは異なり、来訪者Ｂ１が居住者を呼び出す前に、来訪者Ｂ１の来訪により発生する環境音（たとえば、自転車等の車両を止める音など）を聴くことが難しい。このため、親機２がプレ通知を実行しない場合、集合住宅の住戸Ａ１の居住者は、不意の呼出音の鳴動に驚く可能性があった。一方、親機２がプレ通知を実行する場合、集合住宅の住戸Ａ１の居住者は、呼出音が鳴動する前に来訪者Ｂ１の来訪を事前に察知し易くなるため、呼出音の鳴動に驚き難くなる。
【００９４】
本実施形態において、親機２の第２制御部（制御部）２１は、子機１の第１通信部（通信部）１６と通信することにより、子機１の入力部３に事前情報の入力を受け付けるための処理（以下、「受付処理」という）を実行させるように構成されていてもよい。すなわち、本実施形態のように子機１が受付処理を全て実行する代わりに、受付処理を子機１と親機２とで分散して実行させてもよい。
【００９５】
以下、上述の構成での動作の一例について図７を用いて説明する。図７に示す動作は、基本的に図２に示す動作と共通しているので、共通する動作については同一の符号を付して説明を省略する。子機１は、ステップＳ１０３において来訪者Ｂ１による部屋番号の入力を受け付けると、その旨を知らせる受付信号を親機２に向けて送信する（ステップＳ１１１）。親機２は、受付信号を受信すると、子機１に事前情報の入力の受け付けを開始させるための開始信号を子機１に向けて送信する（ステップＳ１１２）。
【００９６】
開始信号には、たとえば事前情報を入力するための第２画面のデータが含まれる。子機１は、開始信号を受信すると、開始信号に含まれる第２画面のデータを第１表示部１３に表示させる（ステップＳ１０４）。その他、開始信号には、たとえば事前情報の入力を促すための音声データ又はテキストデータが含まれていてもよい。この場合、子機１は、ステップＳ１０４において、受信した開始信号に音声データが含まれていれば、事前情報の入力を促す音声を出力する。また、子機１は、ステップＳ１０４において、受信した開始信号にテキストデータが含まれていれば、事前情報の入力を促すメッセージを表示する。
【００９７】
そして、子機１は、たとえば来訪者Ｂ１による事前情報の入力を受け付けるごとに、受け付けた事前情報を含む情報信号を親機２に向けて送信する（ステップＳ１１３）。ここでは、子機１は、入力を受け付けた事前情報を単なるデータとして親機２に向けて送信している。その後、親機２は、たとえば子機１から受信した情報信号のうち最後の情報信号を受信してから一定時間が経過すると、子機１に事前情報の入力の受け付けを終了させるための終了信号を子機１に向けて送信する（ステップＳ１１４）。子機１は、終了信号を受信すると、呼出信号を親機２に向けて送信する（ステップＳ１１５）。呼出信号には、ステップＳ１０６と同様に事前情報が含まれていてもよいし、含まれていなくてもよい。
【００９８】
上述の一例においては、子機１は、受付処理として、開始信号をトリガとして第２画面を第１表示部１３に表示させる処理と、情報信号を親機２に向けて送信する処理とを実行するのみである。つまり、この一例においては、親機２が主体的に受付処理を実行している。一方、子機１は、入力された事前情報を親機２に向けて中継する中継器として機能するのみであり、自発的に受付処理を実行する機能を有していない。この構成によれば、子機１での処理負荷を低減することができるので、結果として子機１又は通信制御装置５のリソースを低減することができる。
【００９９】
（方法及びプログラム）
以下のインターホンシステム１００の制御方法を採用することで、本実施形態のインターホンシステム１００と同等の機能を実現できる。
【０１００】
つまり、インターホンシステム１００の制御方法は、図２に示すように、第１ステップＳ１と、第２ステップＳ２と、第３ステップＳ３とを有している。
【０１０１】
第１ステップは、住戸Ａ１外に設置されるインターホン子機１において、来訪者Ｂ１の音声又は来訪者Ｂ１の手で入力される情報であって、来訪者Ｂ１の属性を表す事前情報の入力を受け付けるステップである。第１ステップＳ１は、ステップＳ１０５に相当する。第２ステップＳ２は、第１ステップＳ１で入力された事前情報を、住戸Ａ１内に設置されてインターホン子機１と接続されるインターホン親機２に向けて送信するステップである。第２ステップＳ２は、図２におけるステップＳ１０６、又は図７におけるステップＳ１１３に相当する。第３ステップＳ３は、インターホン親機２において、インターホン子機１を介した来訪者Ｂ１との通話を開始する前に、インターホン子機１からの事前情報を出力するステップである。第３ステップＳ３は、ステップＳ１０８に相当する。
【０１０２】
また、所定のプログラムによれば、上記インターホンシステム１００の制御方法を、コンピュータに実行させることができる。言い換えれば、ここでいうプログラムは、インターホンシステム１００の制御方法をコンピュータに実行させるためのプログラムである。つまり、上記インターホンシステムの制御方法は、第１ステップＳ１、第２ステップＳ２、及び第３ステップＳ３を、コンピュータに行わせる方法である。プログラムは、コンピュータのメモリに予め記録されていてもよいが、この例に限らず、電気通信回線を通じて提供されてもよいし、メモリカードなどの記録媒体に記録されて提供されてもよい。
【符号の説明】
【０１０３】
１，１Ａ  インターホン子機
１５２  選択釦
１６  第１通信部（通信部）
２  インターホン親機
２１  第２制御部（制御部）
２１１  記憶部
２５  第２操作部（操作部）
２５１  再生部
２７  発光部
３  入力部
４  出力部
１００  インターホンシステム
Ａ１  住戸
Ｂ１  来訪者
【図１】
2017184232.tif 000003
【図２】
2017184232.tif 000004
【図３】
2017184232.tif 000005
【図４】
2017184232.tif 000006
【図５】
2017184232.tif 000007
【図６】
2017184232.tif 000008
【図７】
2017184232.tif 000009